(57)【要約】      （修正有）【課題】受信側での復調信号のＳ／Ｎを改善するために、高音域を、送信側ではプリエンファシスし、受信側ではディエンファシスするようにしたＦＭ信号の受信に用いられるＦＭ受信機において、ミュート動作を強制解除する際にホワイトノイズがディエンファシスされて、低音域でスピーカが過大入力となって破損すること防止する。【解決手段】スケルチ検出回路９が音声信号を検出しないと、低周波アンプ電源１０をＯＦＦしてミュート動作を行う。ユーザがノイズ成分の大きな信号を確認したり音量を調整したりするために設けられている強制スケルチスイッチ１１がＯＮされると、そのミュート動作は強制解除され、低周波アンプ電源１０はＯＮされるが、ディエンファシス回路５の前後に設けられた切換え手段１３，１４で、音声信号はバイパス回路１２を通り、ディエンファシスされない。こうして、前記低音域の過大入力を防止する。【選択図】図１
2018160717.tif 000002
【特許請求の範囲】
【請求項１】
送受間で高音域のプリエンファシスおよびディエンファシスの処理が行われることで、受信側での復調信号のＳ／Ｎを改善するようにしたＦＭ受信機において、
音声信号の再生系に、スケルチまたはＲＳＳＩによるミュート動作を行わせるミュート手段と、
前記音声信号の再生系において、前記ディエンファシスの処理を行う回路に関連して設けられ、当該ディエンファシスの処理を行う回路の機能を無効化する無効化手段と、
前記ミュート手段におけるミュート動作を強制解除するとともに、その強制解除時には、前記無効化手段を能動化する解除手段とを含むことを特徴とするＦＭ受信機。
【請求項２】
前記無効化手段は、前記ディエンファシスの処理を行う回路と並列に設けられるバイパス回路と、それらの回路の前後に設けられ、前記音声信号の経路を切換える切換え手段とを備えて構成されることを特徴とする請求項１記載のＦＭ受信機。
【請求項３】
前記請求項１または２記載のＦＭ受信機と、前記プリエンファシスを行うＦＭ送信機とを備えて構成されることを特徴とする無線通信機。
【発明の詳細な説明】
【技術分野】
【０００１】
本発明は、ＦＭ受信機に関し、特に送受信を行う無線通信機で好適に用いられるＦＭ受信機およびそれを備える前記無線通信機に関する。
【背景技術】
【０００２】
ＦＭ送受信機では、受信側での復調信号のＳ／Ｎを改善するために、高音域を、送信側ではプリエンファシスし、受信側ではディエンファシスすることが行われている。たとえば、ディエンファシスの際は、３００Ｈｚの低音域の成分を、基準成分の１ｋＨｚに比べて、１０ｄＢ強調するようになっている。これによって、ＦＭ変調における変調度がむやみに大きくなることなく、前記３００Ｈｚの低音域から、３ｋＨｚの高音域まで、フラットな特性が得られ、音声通話を明瞭に行えるような回路構成になっている。
【０００３】
ところで、ＦＭ受信機の場合、受信信号が無い、つまりＦＭラジオの受信機では離調している、或いはＦＭ無線機では受信信号のノイズ成分が大きい場合、スピーカからは、ザーと言うホワイトノイズが聞こえてしまう。そこで、たとえばＦＭラジオの受信機の場合はＲＳＳＩ信号から、或いは無線通信機の場合はノイズやトーンのスケルチ信号から、前記ホワイトノイズをミュートするミュート手段が、音声信号の再生系に設けられている。これによって、耳障りなノイズが大音量で再生されないようになっている。
【０００４】
しかしながら、特に送受を行う無線通信機の場合、スケルチが開かないようなノイズ成分の大きな信号を捉えたい場合もあり、或いは音量を調整したりするために、前記ミュート手段におけるミュート動作を強制解除することができる解除手段が設けられる。そのため、大きな調整音量（ボリウム）になっている状態で、ミュート動作を強制解除してしまうと、元々、プリエンファシスされていない前記ホワイトノイズが、ディエンファシスだけ行われてスピーカから出力されることになり、結果的に、前記低音域、特に前記３００Ｈｚ周辺の成分がエンファシスされて、音響エネルギーが過大になり、スピーカの許容入力レベルを超え、該スピーカの内部配線が断線してしまうことがある。
【０００５】
一方、特許文献１は、ＦＭ放送の受信機であり、離調状態における前記ホワイトノイズを利用するために、ディエンファシス特性を与えるか与えないかを選択するスイッチが設けられている。そして、通常の放送信号受信時にはスイッチをオンしてディエンファシス特性を与え、ホワイトノイズを出力させている時にはスイッチをオフしてディエンファシス特性を与えないようにしている。
【先行技術文献】
【特許文献】
【０００６】
【特許文献１】実開昭５５−１３３６４３号
【発明の概要】
【発明が解決しようとする課題】
【０００７】
上述の従来技術は、ディエンファシス特性を与えた出力と、与えない出力とを得ることができるが、ユーザ選択であるので、選択を間違えると、依然として、上述のようなスピーカの断線の虞がある。
【０００８】
本発明の目的は、送受間で高音域のプリエンファシスおよびディエンファシスの処理が行われることで、受信側での復調信号のＳ／Ｎを改善するようにしたＦＭ受信機において、離調や無信号時でのミュート動作の強制解除によるホワイトノイズのエネルギーによるスピーカの破損を防止することができるＦＭ受信機およびそれを備える無線通信機を提供することである。
【課題を解決するための手段】
【０００９】
本発明のＦＭ受信機は、送受間で高音域のプリエンファシスおよびディエンファシスの処理が行われることで、受信側での復調信号のＳ／Ｎを改善するようにしたＦＭ受信機において、音声信号の再生系に、スケルチまたはＲＳＳＩによるミュート動作を行わせるミュート手段と、前記音声信号の再生系において、前記ディエンファシスの処理を行う回路に関連して設けられ、当該ディエンファシスの処理を行う回路の機能を無効化する無効化手段と、前記ミュート手段におけるミュート動作を強制解除するとともに、その強制解除時には、前記無効化手段を能動化する解除手段とを含むことを特徴とする。
【００１０】
上記の構成によれば、受信側での復調信号のＳ／Ｎを改善するために、高音域を、送信側ではプリエンファシスし、受信側ではディエンファシスするようにしたＦＭ信号の受信に用いられるＦＭ受信機において、音声信号の再生系に、スケルチまたはＲＳＳＩによるミュート動作を行わせるミュート手段が設けられるとともに、ノイズ成分の大きな信号を確認したり、音量を調整したりするために、前記ミュート手段におけるミュート動作を強制解除することができる解除手段が設けられる場合に、前記音声信号の再生系において前記ディエンファシスの処理を行う回路に関連して、そのディエンファシスの処理を行う回路の機能を無効化する無効化手段を設け、前記解除手段が、前記の強制解除時に、前記無効化手段を能動化する。
【００１１】
たとえば、前記無効化手段は、前記ディエンファシスの処理を行う回路と並列に設けられるバイパス回路と、それらの回路の前後に設けられ、前記音声信号の経路を切換える切換え手段とを備えて構成される。
【００１２】
したがって、ディエンファシスのＯＮによって低音域が本来のレベルに復元されようとしている状態、たとえば３００Ｈｚの低音域の成分が基準成分の１ｋＨｚに比べて１０ｄＢ強調されている状態で、かつ大きな調整音量（ボリウム）になっている状態で、元々、プリエンファシスされていない離調や無信号によるホワイトノイズがスピーカに与えられてしまうと、前記低音域、特に前記３００Ｈｚ周辺のエネルギーが過大入力（スピーカの許容入力レベルを超える）となって該スピーカの内部配線が断線してしまう可能性があるのに対して、前記無効化手段によってディエンファシスをキャンセルしておくことで、そのような不具合を未然に防止することができる。
【００１３】
また、本発明の無線通信機は、前記のＦＭ受信機と、前記プリエンファシスを行うＦＭ送信機とを備えて構成されることを特徴とする。
【００１４】
上記の構成によれば、予め送信周波数が判明していることが多いラジオとは異なり、送受信を行う無線通信機では、どの周波数で送信が行われているか、時々によって変化することも多い。
【００１５】
したがって、そのような送受信を行う無線通信機の場合、ノイズ成分の大きな信号を確認したり、音量を調整したりする際に、強制的にミュート動作を解除するケースが多く、本発明が好適である。
【発明の効果】
【００１６】
本発明のＦＭ受信機およびそれを備える無線通信機は、以上のように、受信側での復調信号のＳ／Ｎを改善するために、高音域を、送信側ではプリエンファシスし、受信側ではディエンファシスするようにしたＦＭ信号の受信に用いられるＦＭ受信機において、音声信号の再生系に、スケルチまたはＲＳＳＩによるミュート動作を行わせるミュート手段が設けられるとともに、ノイズ成分の大きな信号を確認したり、音量を調整したりするために、前記ミュート手段におけるミュート動作を強制解除することができる解除手段が設けられる場合に、前記音声信号の再生系において前記ディエンファシスの処理を行う回路に関連して、そのディエンファシスの処理を行う回路の機能を無効化する無効化手段を設け、前記解除手段が、前記の強制解除時に、前記無効化手段を能動化する。
【００１７】
それゆえ、大きな調整音量になっている状態で、離調や無信号によるホワイトノイズが、元々、プリエンファシスされていないにも拘わらず、ディエンファシスだけ行われてスピーカに与えられてしまうと、低音域が過大入力となって該スピーカの内部配線が断線してしまう可能性があるのに対して、前記無効化手段によってディエンファシスをキャンセルしておくことで、そのような不具合を未然に防止することができる。
【図面の簡単な説明】
【００１８】
【図１】本発明の実施の一形態に係るＦＭ受信機の電気的構成を示すブロック図である。
【図２】前記ＦＭ受信機におけるディエンファシス回路の一例を示すブロック図である。
【発明を実施するための形態】
【００１９】
図１は、本発明の実施の一形態に係るＦＭ受信機１の電気的構成を示すブロック図である。図１のＦＭ受信機１は、図示しないＦＭ送信機と組合わせられて、無線通信機を構成する。アンテナ２で受信されたＦＭ信号は、高周波回路３で増幅された後、受信検波回路ＩＣ４に入力されて、音声信号が復調される。このＦＭ受信機１が使用される無線通信機では、送受間で高音域のプリエンファシスおよびディエンファシスの処理が行われることで、受信側での復調信号のＳ／Ｎを改善するようになっている。そのため、復調された音声信号は、ディエンファシス回路５を通して高音域が抑圧された後、低周波アンプ６に与えられて増幅され、スピーカ７から音響出力される。
【００２０】
たとえば、前記のプリエンファシスおよびディエンファシスは、６ｄＢ／ｏｃｔで行われ、プリエンファシスでは３００Ｈｚの低音域の成分が基準成分の１ｋＨｚに比べて１０ｄＢ抑圧され、ディエンファシスでは図１で示すように１０ｄＢ強調されることで実現される。低周波アンプ６のゲイン（増幅度）は、音量調整手段であるボリウムつまみ８で調整可能になっている。
【００２１】
また、受信検波回路ＩＣ４からの復調音声信号は、スケルチ検出回路９に入力され、たとえばノイズスケルチによって、音声信号が検出されている間は低周波アンプ電源１０をＯＮして前記低周波アンプ６に音声信号を増幅させ、音声信号が検出されない間は低周波アンプ電源１０をＯＦＦして、不快なホワイトノイズがスピーカ７から出力されないようにミュート動作を行わせるようになっている。これらのスケルチ検出回路９、低周波アンプ電源１０および低周波アンプ６は、ミュート手段を構成する。前記スケルチは、ノイズに限らず、トーン信号などに応答して行われてもよく、或いはＦＭラジオ受信機の場合には、受信信号強度（RSSI：Received Signal Strength Indicator）から行われてもよい。また、ミュート動作も、低周波アンプ６への入力音声信号をカットしたりするなど、音声信号の再生系において任意の手法で行われてもよい。
【００２２】
上述のように構成されるＦＭ受信機１において、強制スケルチスイッチ１１が設けられている。この強制スケルチスイッチ１１は、送受信を行うことができる無線通信機におけるＦＭ受信機１において、スケルチ検出回路９で音声信号が検出されていなくても、強制的に低周波アンプ電源１０をＯＮするものであり、前記のミュート手段におけるミュート動作を強制解除することができる解除手段となる。これによって、ユーザが、ノイズ成分の大きな信号を確認したり（遠くのコールしている局を探す）、音量を調整したりするために、ホワイトノイズの状態でも、音声信号を再生可能となっている。
【００２３】
しかしながら、そうなると、ボリウム８が大きな調整音量になっている状態で、離調や無信号によるホワイトノイズがスピーカ７に与えられてしまうと、元々、プリエンファシスされていない前記ホワイトノイズが、ディエンファシス回路５においてディエンファシスだけ行われてスピーカ７から出力されることになり、結果的に、前記低音域、特に前記３００Ｈｚ周辺の成分がエンファシスされて、音響エネルギーが過大になり、スピーカ７の許容入力レベルを超え、該スピーカ７の内部配線が断線してしまう虞がある。また、電波状況は常に一定では無いので、微弱な電波を受信していた状態から、急に検波出力が大きくなることもあり、この場合も前述と同様に、スピーカ７の断線の虞がある。
【００２４】
そこで本実施形態では、ディエンファシス回路５と並列にバイパス回路１２を設けるとともに、それらの回路の前後には、音声信号の経路を切換える切換え手段１３，１４が設けられている。切換え手段１３，１４は、前記強制スケルチスイッチ１１によって切換え制御され、該強制スケルチスイッチ１１が、ＯＮされている間は音声信号をバイパス回路１２を通して低周波アンプ６に入力し、ＯＦＦされていると音声信号をディエンファシス回路５を通して低周波アンプ６に入力する。
【００２５】
これらのバイパス回路１２および切換え手段１３，１４は、ディエンファシス回路５に関連して設けられ、当該ディエンファシス回路５の機能を無効化する無効化手段を構成し、前記解除手段である強制スケルチスイッチ１１によって能動化されることになる。
【００２６】
ディエンファシス回路５の機能の無効化は、たとえば図２で示すように、該ディエンファシス回路５が、制限抵抗５１の設けられる音声信号のライン５２を地絡する高域カットコンデンサ５３で実現される場合、前記強制スケルチスイッチ１１のＯＮで、前記高域カットコンデンサ５３を音声信号のライン５２から切離すスイッチ５４を設ける等、音声信号の再生系の構成に応じて、適宜実現されればよい。
【００２７】
このように構成することで、本実施形態のＦＭ受信機１は、強制スケルチスイッチ１１によって、スケルチ検出回路９の検出結果に拘わらず低周波アンプ電源１０がＯＮされていると、音声信号はディエンファシス回路５を通らず、バイパス回路１２を通過するので、ボリウム８の調整音量が大きい状態で、元々、プリエンファシスされていないホワイトノイズが入っても、結果的に低域成分を抑圧することができ、スピーカ７を過大入力から保護し、断線などの不具合を未然に防止することができる。
【００２８】
また、本実施形態のＦＭ受信機１は、予め送信周波数が判明していることが多いラジオとは異なり、どの周波数で送信を行われているか、時々によって変化することも多い無線通信機に用いられる。したがって、送受信を行う前記無線通信機の場合、ノイズ成分の大きな信号を確認したり、音量を調整したりする際に、強制的にミュート動作を解除するケースが多く、本発明が好適である。
【００２９】
さらにまた、本実施形態のＦＭ受信機１では、スケルチ検出回路９は、ディエンファシス回路５とスピーカ７との間に介在される低周波アンプ６のゲインを低下、具体的には低周波アンプ電源１０をＯＦＦすることでミュート動作を行わせるので、ミュート動作を、音声信号の再生系にスイッチなどの特別な構成を介在することなく、通常の音量調整の構成で実現することができる。
【符号の説明】
【００３０】
１    ＦＭ受信機
２    アンテナ
３    高周波回路
４    受信検波回路ＩＣ
５    ディエンファシス回路
６    低周波アンプ
７    スピーカ
８    ボリウムつまみ
９    スケルチ検出回路
１０    低周波アンプ電源
１１    強制スケルチスイッチ
１２    バイパス回路
１３，１４    切換え手段                                                                 
【図１】
2018160717.tif 000003
【図２】
2018160717.tif 000004